(57)【要約】　　　（修正有）【課題】荷役用パレットの現在位置を発信する位置情報送受信端末をパレット本体に取付けるに当たり、フォークリフトの昇降爪がぶつかったとしても送受信端末装置に影響を与えることのない荷役用パレットを提供する。【解決手段】互いに平行となる長辺部７と短辺部８を有すると共に、ほゞ中央に長辺部側が開口部となる凹所を形成してなるホルダー部材６の凹所内に位置情報送受信端末２を嵌着する。位置情報送受信端末２を保持したホルダー部材６の長辺部７側を荷役用パレット本体１の桁材５の側面に当接させるようにして取付けた。【選択図】　図１
0003097879.tif 000002
【実用新案登録請求の範囲】
【請求項１】
上面板と下面板を桁材を介して連結してなる木製の荷役用パレットにおいて、互いに平行となる長辺部と短辺部を有すると共に、ほゞ中央に長辺部側が開口部となる凹所を形成してなるホルダー部材の当該凹所内に位置情報送受信端末を嵌着させ、当該位置情報送受信端末を保持したホルダー部材の長辺部側を荷役用パレット本体の桁材の側面に当接させるようにして取付けてなることを特徴とする荷役用パレット。
【請求項２】
ホルダー部材の凹所内に嵌着させた位置情報送受信端末が電波を受信している基地局を特定して、当該基地局からの距離を算出することにより荷役用パレット本体の現在位置を確認できるようにした請求項１記載の荷役用パレット。
【考案の詳細な説明】
【０００１】
【考案の属する技術分野】
本考案は物流対象貨物と共に日々転々流通する荷役用のパレットの現在位置を確認するための位置情報送受信端末を装着した荷役用パレットに関する。
【０００２】
【従来の技術】
物流業界においては、フォークリフトによる搬送の円滑化のため、通常荷役用のパレットも物流貨物と一緒に搬出入されることが多い。このような場合、パレットは取引の対象となっていないため、いずれは物流貨物の受入側から納入側へ返却されなければならない。納入側と受入側との間におけるパレットの取り扱いは通常の場合、受入側において空きパレットが所定数生じたときに、納入側に引き取りの連絡を行うことによってなされている。
【０００３】
しかしながら、複雑な物流業界において、荷役用パレットは単に納入側と受入側の二者間のみで使用されるだけでなく、場合によっては納入側が他の取引業者との関係では受入側となり、また更に他の取引業者との関係では受入側が納入側となることも決して稀ではなく、加えてパレットが無断で他に流用されるケースも多く、パレットは広範に亘って複雑に流通する。
【０００４】
しかも、自社が所有する荷役用パレットは一般に物流貨物の附属品といった意識で他社から扱われることが多く、管理意識が稀薄なため年間を通して相当数が紛失しているのが実態であり、その補填により生じる損失は業界全体の共通問題となっている。
【０００５】
【考案が解決しようとする課題】
そこで、本考案者等は荷役用パレット本体にＰＨＳのような位置情報送受信端末を装着し、当該位置情報送受信端末が電波を受信している基地局を特定して、荷役用パレット本体の現在位置を確認し、移動経路等を直接的に把握できるようにしたパレットの探索システムを構築することに成功した。
【０００６】
しかしながら、荷役用パレットはその性質上粗雑に扱われることが多く、回路基板等が組み込まれるＰＨＳのような位置情報送受信端末を単純に荷役用パレットに取付けただけでは、フォークリフトの昇降爪が当たることによって簡単に破壊されてしまうという懸念が新たに発生した。
【０００７】
そこで本考案は、両端に斜面部を形成すると共にほゞ中央部に位置情報送受信端末を嵌着するための凹所を形成したホルダー部材を用いて荷役用パレット本体の桁材の側面にＰＨＳ等の位置情報送受信端末を安定した状態で取付けることにより、たとえ粗雑に扱われたとしても当該情報端末装置に影響を与えることのない荷役用パレットを提供することを目的とするものである。
【０００８】
【課題を解決するための手段】
前記目的を達成するための本考案の構成を詳述すれば、請求項１に係る考案は、上面板と下面板を桁材を介して連結してなる木製の荷役用パレットにおいて、互いに平行となる長辺部と短辺部を有すると共に、ほゞ中央に長辺部側が開口部となる凹所を形成してなるホルダー部材の当該凹所内に位置情報送受信端末を嵌着させ、当該位置情報送受信端末を保持したホルダー部材の長辺部側を荷役用パレット本体の桁材の側面に当接させるようにして取付けてなることを特徴とする荷役用パレットである。
【０００９】
請求項２に係る考案は、ホルダー部材の凹所内に嵌着させた位置情報送受信端末が電波を受信している基地局を特定して、当該基地局からの距離を算出することにより荷役用パレット本体の現在位置を確認できるようにした請求項１記載の荷役用パレットである。
【００１０】
【考案の実施の形態】
以下、本考案に係る荷役用パレットの具体的構成を図示の実施形態に基づき詳細に説明する。
図１は本考案荷役用パレットの一実施形態を示す部分切欠斜視図、図２は位置情報送受信端末を保持させるホルダー部材の詳細を示す斜視図、図３は荷役用パレットに装着した位置情報送受信端末による位置検索の仕組みを示す説明図である。
【００１１】
先ず、図３に基づきＰＨＳのような位置情報送受信端末による荷役用パレットの位置検索の仕組みを説明すれば、図中３０，３１，３２は通信事業者等が設置した基地局であり、荷役用パレット本体１に装着した位置情報送受信端末２は常時三つ程度の基地局３０，３１，３２から発信される電波を受信している。
【００１２】
したがって、荷役用パレット本体１に装着してある位置情報送受信端末２が電波を受信している基地局を特定すると共に、電波の電界強度や到達時間等の測定によって各基地局からの距離を算出することで、三点測量の応用で荷役用パレット本体１の現在位置を特定することができる。
【００１３】
位置情報送受信端末２による位置精度は地域毎の基地局の設置密度により左右されることになるが、例えばＰＨＳの場合には通常半径５０ｍ〜２００ｍ程度である。位置情報は各端末から基地局を中継し、通信事業者等のサーバに送信され、システム管理者は電話回線等のネットワークを介して通信事業者等のサーバにアクセスすることで荷役用パレット本体１の現在位置に関する情報を得ることができる。
【００１４】
しかして、木製の荷役用パレット本体１は図１に示すように、複数枚の上面板３，３・・・と下面板４，４・・・を、いくつかの桁材５を介して連結してなる構造のものであり、桁材５によって保持される上面板３と下面板４の間の隙間にフォークリフトの昇降爪が挿着されて荷役作業が行われる。したがって、たとえば桁材５の側面にＰＨＳのような位置情報送受信端末２を単純に取付けただけでは、通常の作業においてフォークリフトの昇降爪が接触すること等によって簡単に破壊されることになる。
【００１５】
そこで、本考案においては、図２に示すような特殊なホルダー部材６を用いて位置情報送受信端末２を桁材５の側面に取付けるようにしたものである。
【００１６】
すなわち、ホルダー部材６は互いに平行となる長辺部７と短辺部８を有すると共に、ほゞ中央に長辺部７側が開口部となる凹所９を形成してなるものであり、当該凹所９内に位置情報送受信端末２を嵌着させ、当該位置情報送受信端末２を保持したホルダー部材６の長辺部７側を荷役用パレット本体１の桁材５の側面に当接させるようにして取付けるようにしたものである。
【００１７】
ホルダー部材６に形成した凹所９内に位置情報送受信端末２を嵌着するにあたっては、特に図示しないが位置情報送受信端末２の周囲に、適宜緩衝材を巻き付けてから嵌着するようにするとよい。なお、ホルダー部材６の長辺部７の長手方向長さは、取付対象となる桁材５の長手方向長さに一致させるかあるいそれより若干短めになるようにするとよい。
【００１８】
上記のように、本考案は凹所９内に位置情報送受信端末２を嵌着させたホルダー部材６の長辺部７側を荷役用パレット本体１の桁材５の側面に当接させて取付けるようにしたものであり、取付けにあたっては各上面板３，３どうしの隙間内にあらわれるホルダー部材６と桁材５とを適宜Ｌ字状金具１０ないしコ字状金具を用いて固定する。また、場合によってはホルダー部材６と桁材５の当接面に接着剤を塗布して固定するようにしてもよいし、あるいは両者を釘等を用いて固定するようにしてもよい。
【００１９】
ホルダー部材６は上記したように、互いに平行となる長辺部７と短辺部８を有し、且つ長辺部７側を荷役用パレット本体１の桁材５の側面に当接させるようにして取付けるものであるから、フォークリフトの昇降爪が挿入される荷役用パレット本体１の開口部側から内方に向けて徐々に高くなる斜面部１１が形成されることとなり、フォークリフトの昇降爪が当たっても衝撃が緩和されることになるものである。
【００２０】
【考案の効果】
本考案は以上のように、特殊構造のホルダー部材内に位置情報送受信端末を嵌着させるようにしたものであるから、フォークリフトの爪がぶつかっても位置情報送受信端末に影響を与えることがなく、各ユーザはネットワークを介して安定した状態で荷役用パレットの位置情報を得ることが可能となる。
【００２１】
また、位置情報送受信端末はホルダー部材の凹所内に嵌着され、しかも当該凹所の開口部側は桁材によって遮蔽された状態となるため、外部から位置情報送受信端末の所在を視認することはできず、通常の使用状態における荷役用パレットの移動経路等を把握することが可能となる。
【図面の簡単な説明】
【図１】本考案荷役用パレットの一実施形態を示す部分切欠斜視図である。
【図２】位置情報送受信端末を保持させるホルダー部材の詳細を示す斜視図である。
【図３】荷役用パレットに装着した位置情報送受信端末による位置検索の仕組みを示す説明図である。
【符号の説明】
１：荷役用パレット本体　　　　　　２：位置情報送受信端末
３：上面板　　　　　　　　　　　　４：下面板
５：桁材　　　　　　　　　　　　　６：ホルダー部材
７：長辺部　　　　　　　　　　　　８：短辺部
９：凹所　　　　　　　　　　　　１０：Ｌ字状金具
１１：斜面部
【図１】
0003097879.tif 000003
【図２】
0003097879.tif 000004
【図３】
0003097879.tif 000005